(57)【要約】【課題】  接着剤や溶接の手段を採用せずに、容易に組立分解を行うことができる電子カード等のカード状電子装置を提供する。【解決手段】  電子カードは、電子部品と、電子部品が搭載される基板と、基板に実装されるコネクタと、一対のカバー３，４とを有する。カバー４の係合部は、弾性変形可能なラッチ４３と、ラッチを挟むように形成される一対のブレード４４とを有する。カバー３の被係合部は、ラッチと係合する凹部３５と、一対のブレードと係合し、かつ、一対のブレードを挟持するように形成される一対の保持部３６とを有する。係合部と被係合部との係合により一対のカバーが固定されることによって、カード状電子装置の組立が行われる。【選択図】  図１０
2005301837.tif 000002
【特許請求の範囲】
【請求項１】
カード状電子装置は、電子部品と、前記電子部品が搭載される基板と、前記基板に実装されるコネクタと、一対のカバーとを有し、
前記一対のカバーの一方は係合部を有し、他方は被係合部を有し、
前記係合部は、弾性変形可能な第１ロック部と、前記第１ロック部を挟むように形成されるブレード状の一対の第２ロック部とを有し、
前記被係合部は、前記第１ロック部と係合する被ロック部と、前記一対の第２ロック部と係合し、かつ、前記一対の第２ロック部を挟持するように形成される一対の保持部とを有し、
前記係合部と前記被係合部との係合により前記一対のカバーが固定されることによって、組立が行われることを特徴とするカード状電子装置。
【請求項２】
前記第１ロック部に傾斜部が形成され、ロック解除治具が前記一対のカバーの隙間及び前記一対の保持部の間に挿入された後に前記傾斜部を押圧することによって、分解が行われることを特徴とする請求項１記載のカード状電子装置。
【発明の詳細な説明】
【技術分野】
【０００１】
本発明は、容易に組立分解を行うことができる電子カード等のカード状電子装置に関する。
【背景技術】
【０００２】
従来、電子カードの組立方法としては、樹脂等の中間フレームの上下両面に熱可塑性又は常温接着テープ等で金属等のカバーを貼付ける方法、上下両面の金属カバー同士を溶接する方法、金属製カバーを樹脂製フレームに超音波溶接にて接合する方法等が、知られている。また、前記の各方法を一切採用しないで、ラッチ等による機械的な組立方法も知られているが、組立後の分解については、配慮されていない。
【０００３】
まず、第１の従来の技術として、接着テープを用いるＩＣカードの組立方法について説明する（例えば、特許文献１参照。）。
【０００４】
フレームとカバーの間に接着テープを挟むことによってＩＣカードの組立を行う。予めフレーム又はカバーに接着テープを貼付しなければならないので、貼付作業が煩雑であり、組立コストと資材コストを軽視できない。また、熱接着テープを用いる場合、接着剤を溶融するために高温加圧装置が必要となり、更に、接着効果を維持するために加圧冷却工程も必要となる。これは、ユーザーに高価な組立装置と多くの作業時間を強要する。また、ＩＣカードの完成後に、電気的不具合やカバー等の外装部品に損傷が発生した場合、接着剤で各部品が強固に貼付されているため、容易に分解できず、分解できたとしても内部の実装基板やコネクタを損傷する恐れがある。
【０００５】
次に、第２の従来の技術として、溶接によるジャケット式回路カードの組立方法について説明する（例えば、特許文献２参照。）。
【０００６】
金属製の上下両カバーをフレームにレーザー溶接によって取り付ける。これは高価なレーザー溶接装置を必要とし、また、カードの分解は通常不可能である。
【０００７】
続いて、第３の従来の技術として、超音波溶着によるパソコンメモリーカードの製造方法について説明する（例えば、特許文献３参照。）。
【０００８】
第１サブ組立体については、第１カバー部材を第１型に入れて、第１フレーム部材を第１カバー部材上に射出成形する。第２サブ組立体については、第２カバー部材を第２型に入れて、第２フレーム部材を第２カバー部材上に射出成形する。第１，２両カバー部材の各フックが、射出成形中にそれぞれ第１，２両フレーム部材の各脚の中に埋め込まれるようにインサート成形する。第１，２両サブ組立体を超音波溶着により固定すると、カードが完成する。
【０００９】
この方法によると、樹脂成形機が大型になり、成形自体が難しいため寸法管理が面倒である。また、高価な超音波溶着装置が必要とされる。更に、第１，２両カバー部材に超音波を加える際、内部の基板に実装されている電子部品に悪影響を及ぼす恐れがあることが、知られている。組立後のカードの分解は、通常不可能である。
【００１０】
更に、第４の従来の技術として、ＰＣカードの機械的な組立方法について説明する（例えば、特許文献４参照。）。
【００１１】
表カバーの両側の折り返し部に、弾性変形可能な係合突起が設けられる。裏カバーの両側の折り返し部に、係合溝が設けられる。各係合突起を各係合溝に係合させることによって、表カバーを裏カバーに取り付ける。
【００１２】
しかし、組立後のＰＣカードの分解については、配慮されていない。
【００１３】
【特許文献１】特開平６−３２０８９０号公報
【特許文献２】特開平５−２５４２８６号公報
【特許文献３】特開平８−２４１３８８号公報
【特許文献４】特開２０００−３２２５４６号公報
【発明の開示】
【発明が解決しようとする課題】
【００１４】
そこで、本発明は、前記諸従来の技術の欠点を改良し、接着剤や溶接の手段を採用せずに、容易に組立分解を行うことができる電子カード等のカード状電子装置を提供しようとするものである。
【課題を解決するための手段】
【００１５】
本発明は、前記課題を解決するため、次の手段を採用する。
【００１６】
１．カード状電子装置は、電子部品と、前記電子部品が搭載される基板と、前記基板に実装されるコネクタと、一対のカバーとを有し、前記一対のカバーの一方は係合部（ラッチ４３、ブレード４４）を有し、他方は被係合部（凹部３５、保持部３６）を有し、前記係合部は、弾性変形可能な第１ロック部（ラッチ４３）と、前記第１ロック部を挟むように形成されるブレード状の一対の第２ロック部（ブレード４４）とを有し、前記被係合部は、前記第１ロック部と係合する被ロック部（凹部３５）と、前記一対の第２ロック部と係合し、かつ、前記一対の第２ロック部を挟持するように形成される一対の保持部（３６）とを有し、前記係合部と前記係合部との係合により前記一対のカバーが固定されることによって、組立が行われるカード状電子装置。
【００１７】
２．前記第１ロック部に傾斜部（４８）が形成され、ロック解除治具が前記一対のカバーの隙間及び前記一対の保持部の間に挿入された後に前記傾斜部を押圧することによって、分解が行われる前記１記載のカード状電子装置。
【発明の効果】
【００１８】
明細書の説明から明らかなように、本発明は、次の効果を奏する。
【００１９】
１．接着剤や溶接の煩雑な手段を採用せずに、容易に組立分解を行うことができるカード状電子装置を提供することができる。
【００２０】
２．一方のカバーの係合部と他方のカバーの被係合部との係合により、両カバーが固定されるので、組立を手作業で簡易に行うことができる。また、両カバーは、確実に固定される。
【００２１】
３．両カバーの隙間及び他方のカバーの一対の保持部の間に、ロック解除治具を挿入した後、第１ロック部に形成された傾斜部を押圧することによって簡易に分解を行うことができる。
【００２２】
４．分解に際して、各部品を損傷することがない。
【００２３】
５．従来用いられている電子カードの内部の樹脂製フレームを必要としない。したがって、フレームレス構造とすることができるので、樹脂製フレームが占有しているスペースを基板実装スペースに活用することができる。
【発明を実施するための最良の形態】
【００２４】
本発明の一実施例の電子カードについて説明する。
【実施例１】
【００２５】
本発明の実施例１について図１〜図１８を参照して説明する。
【００２６】
図１は電子カードの分解斜視図であり、図２は電子カードの組立完成後の斜視図である。
【００２７】
電子カードは、図１に示されるように、大別して５つの部品に分けられる。すなわち、電子カードは、電子カードとこれを受容する電子機器との間で電気信号の送受信を行うためのコネクタ１と、コネクタ１を実装され、かつ、電子カードの機能を営むための電子部品が搭載された基板５と、金属製の表面カバー３と、金属製の裏面カバー４と、電子カードの後端部を被覆し、かつ、基板５を電子カード内で保持するためのバックフレーム２とから構成される。
【００２８】
図２に示されるように、電子カードは、電子カードの先端部を構成するコネクタ１、基板５及び電子カードの後端部を構成するバックフレーム２を、表面カバー３と裏面カバー４とで挟持することによって組み立てられる。
【００２９】
図３〜図６は表面カバー３の諸図であり、図３は斜視図、図４は正面図、図５は図３における線Ａ−Ａによる矢視方向の断面図、図６は下面図とその部分拡大図を、それぞれ示す。
【００３０】
表面カバー３の両側部３１，３１及び後端部３２は、図３に示されるように、垂直方向に折り曲げられ、更に、両側部３１，３１及び後端部３２は、図４，５に示されるように、断面Ｕ字形状部３３，３３，３４に折り曲げられる。このような折り曲げにより、両側部３１，３１及び後端部３２の断面構造は、表面カバー３の板厚の約２倍の強度を得ることができる。したがって、樹脂製等の中間フレームを省略することが可能となり、その結果、電子カードの内部に実装される基板５の有効実装面積が増大する。また、表面カバー３の切断面が表面カバー３の内部に折り曲げられるため、電子カードの組立時及び完成時に手指等で触れることが可能な外表面に表面カバー３のエッジが露出することがないので、安全である。
【００３１】
断面Ｕ字形状部３３，３３に折り曲げられた両側部３１，３１の内側に、図７に示される裏面カバー４の複数のラッチ４３を係合するための複数の凹部３５を形成する。凹部３５をラッチ４３と同数形成することは、いうまでもない。凹部３５を表面カバー３の内側に形成するから、電子カバーの外表面に表面カバー３の係合部分が露出しないので、電子カードの美観は損ねられない。また、表面カバー３と裏面カバー４とは、電子カードの内部で係合するから、電子カードの使用者は誤って又は故意に係合部に触れることができないので、電子カードは無用に分解することがない。
【００３２】
断面Ｕ字形状部に折り曲げられた両側部３１，３１及び後端部３２の内側に、図７に示される裏面カバー４の複数のブレード４４，４５を保持するためのクランク状に折り曲げられた複数の保持部３６，３７を形成する。保持部３６，３７をブレード４４，４５と同数形成することは、いうまでもない。保持部３６を表面カバー３の内側に形成するから、電子カードの外表面に表面カバー３の係合部分が露出しないので、電子カードの美観は損ねられない。また、表面カバー３と裏面カバー４とは、電子カードの内部で係合するから、電子カードの使用者は誤って又は故意に係合部に触れることができないので、電子カードは無用に分解することがない。
【００３３】
図７〜図９は裏面カバー４の諸図であり、図７は斜視図、図８は右側面図、図９（Ａ）は図８におけるＸ部分の拡大図、図９（Ｂ）は図９（Ａ）の平面図、図９（Ｃ）は図９（Ａ）における線Ｂ−Ｂによる矢視方向の部分断面図である。
【００３４】
裏面カバー４の両側部４１，４１及び後端部４２は、図７に示されるように、垂直方向に折り曲げられ、両側部４１，４１には、表面カバー３の複数の凹部３５及び複数の保持部３６とそれぞれ係合する複数のラッチ４３及び複数のブレード４４が形成される。後端部４２には、表面カバー３の一対の保持部３７とそれぞれ係合する一対のブレード４５が形成される。ラッチ４３は、裏面カバー４の両側部を打ち抜き加工することにより形成されるが、ラッチ４３のブレード４４と連結する側にばね部４６が形成される。裏面カバー４と表面カバー３とのロックは、打ち抜き加工された破断面４７（図１０，１１参照）を用いて行われる。
【００３５】
破断面４７が表面カバー３の凹部３５と係合するために、ラッチ４３の先端が外側に移動することができるように、ラッチ４３の先端とばね部４６とは傾斜部４８により連結されている。また、ラッチ４３の先端には、傾斜部４９が形成される。
【００３６】
図１０（Ａ）は表面カバー３と裏面カバー４とが係合する直前の状態を模式的に示した斜視図であり、図１０（Ｂ）は図１０（Ａ）における矢視Ｃ方向の断面図ある。図１１（Ａ）は表面カバーと裏面カバー４とが係合した状態を模式的に示した斜視図であり、図１１（Ｂ）は図１１（Ａ）における矢視Ｄ方向の断面図である。
【００３７】
裏面カバー４の側部４１は、表面カバー３の側部３１よりも内側に位置する。表面カバー３の凹部３５と裏面カバー４の破断面４７は、図１０（Ｂ）における裏面カバー４の破断面４７の板厚ｔの方向で互いに干渉する位置関係にある。表面カバー３が裏面カバー４に対して図１０（Ｂ）における矢印方向に移動するとき、表面カバー３の断面Ｕ字形状部３３は裏面カバー４の傾斜部４９を内側（右側）に押す。このとき、ラッチ４３は、内側方向に破断面４７の板厚ｔの分だけ変位し、表面カバー３の凹部３５と係合するまでの間は内側方向に変位したままである。
【００３８】
図１１に示されるように、表面カバー３と裏面カバー４との閉合が終了したとき、ラッチ４３はばね部４６の復元力によって表面カバー３の凹部３５内に進入し、ロック部４７は凹部３５に係合する。
【００３９】
一方、破断面４７と凹部３５の係合に伴い、裏面カバー４の各ブレード４４は、角のテーパの案内により表面カバー３の各保持部３６内に挿入される。
【００４０】
これらの破断面４７と凹部３５の係合、及び、各ブレード４４と各保持部３６の係合により、表面カバー３と裏面カバー４は電子カードの前後方向、左右方向及び上下方向において相対的動きを完全に拘束されるので、両カバー３，４は容易に分解されない。
【００４１】
前述した両カバー３，４の相対的動きを完全に拘束する係合構造を１ユニットとして、電子カードの両側部に複数のユニットを均等に配置すれば、電子カードのねじれた方向のモーメントに対して十分な機械的強度を保持することができる。
【００４２】
図１２は、裏面カバー４におけるラッチ４３の部分にロック解除治具６を挿入する前の斜視図である。図１３は、ラッチ４３と表面カバー３の凹部３５とのロック解除を説明するための模式的断面図である。
【００４３】
図１１に示される両カバー３，４の閉合状態において、両カバー３，４の隙間Ｙ及び一対の保持部３６，３６の間に薄板状のロック解除治具６を挿入する。続いて、ロック解除治具６をラッチ４３のばね部４６側から電子カードの前方に移動させ、ラッチ４３の傾斜部４８に当接させる。更に、ロック解除治具６を電子カードの前方に移動させると、傾斜部４８がロック解除治具６により押圧されるので、破断面４７は傾斜部４８にしたがって電子カードの内部方向へ強制的に変位する。よって、両カバー３，４は、ロック解除状態となるので、分解可能となる。このように、簡易な操作により両カバー３，４を分解できるので、分解設備の簡素化、分解作業の省力化及び短時間化等に役立つ。
【００４４】
前述したロック解除は、１ユニットについて説明したが、両カバー３，４に設けられた全部のユニットのロック解除をしなければ、電子カードは分解されない。したがって、全部のユニットのロック解除を同時に行うことができる手段が要求される。一例として、係合部（ラッチ４３、一対のブレード４４）と被係合部（凹部３５、一対の保持部３６）が、両カバー３，４の両側にそれぞれ合計１４箇所形成されているとする。この場合、合計１４個のロック解除治具６を一体に構成すると、全部のユニットのロック解除を同時に行うことができる。
【００４５】
図１４〜図１８は、電子カードの組立方法の工程を順次示す斜視図である。
【００４６】
まず、図１４において、電子カードの後端部を被覆し、かつ、基板５を電子カード内で保持するためのバックフレーム２を、表面カバー３に取り付ける。組立治具を必要とせず、手作業で各部品を組み立てることができる。
【００４７】
次に、図１５において、コネクタ１を基板５に実装し、コネクタ１と基板５を表面カバー３に取り付けると、図１６に示される状態に至る。組立治具を必要とせず、手作業で各部品を組み立てることができる。
【００４８】
続いて、図１７において、裏面カバー４を表面カバー３に取り付ける。組立治具を必要とせず、手作業で各部品を組み立てることができる。
【００４９】
すると、図１８に示されるように、電子カードが組み立てられて完成する。
【００５０】
なお、本実施例１においては、表面カバー３と裏面カバー４は、いずれも金属製である。しかし、導電性樹脂により成形するか、又は、樹脂で成形後に、メッキ、蒸着等により表面に金属膜を形成するようにしてもよい。
【図面の簡単な説明】
【００５１】
【図１】本発明の実施例１の電子カードの分解斜視図である。
【図２】同電子カードが組み立てられた状態の斜視図である。
【図３】同電子カードの表面カバーの斜視図である。
【図４】同表面カバーの正面図である。
【図５】図３における線Ａ−Ａによる矢視方向の断面図である。
【図６】同表面カバーの下面図とその部分拡大図である。
【図７】同電子カードの裏面カバーの斜視図である。
【図８】同裏面カバーの右側面図である。
【図９】図８におけるＸ部分の拡大諸図であり、（Ａ）は正面図、（Ｂ）は（Ａ）の平面図、（Ｃ）は（Ａ）における線Ｂ−Ｂによる矢視方向の部分断面図である。
【図１０】同表面カバーと同裏面カバーとが係合する直前の模式図であり、（Ａ）は斜視図、（Ｂ）は（Ａ）における矢視Ｃ方向の断面図を、それぞれ示す。
【図１１】同表面カバーと同裏面カバーとが係合したときの模式図であり、（Ａ）は斜視図、（Ｂ）は（Ａ）における矢視Ｄ方向の断面図を、それぞれ示す。
【図１２】同裏面カバーにおけるラッチの部分にロック解除治具を挿入する前の斜視図である。
【図１３】同ラッチと同表面カバーの凹部とのロック解除を説明するための模式的断面図である。
【図１４】同電子カードの組立方法の第１工程の斜視図である。
【図１５】同組立方法の第２工程の斜視図である。
【図１６】同組立方法の第３工程の斜視図である。
【図１７】同組立方法の第４工程の斜視図である。
【図１８】同組立方法の全工程が完了して同電子カードが組み立てられた状態の斜視図である。
【符号の説明】
【００５２】
１  コネクタ
２  バックフレーム
３  表面カバー
４  裏面カバー
５  基板
６  ロック解除治具
３１  側部
３２  後端部
３３  Ｕ字形状部
３４  Ｕ字形状部
３５  凹部
３６  保持部
３７  保持部
４１  側部
４２  後端部
４３  ラッチ
４４  ブレード
４５  ブレード
４６  ばね部
４７  破断面
４８  傾斜部
４９  傾斜部
【図１】
2005301837.tif 000003
【図２】
2005301837.tif 000004
【図３】
2005301837.tif 000005
【図４】
2005301837.tif 000006
【図５】
2005301837.tif 000007
【図６】
2005301837.tif 000008
【図７】
2005301837.tif 000009
【図８】
2005301837.tif 000010
【図９】
2005301837.tif 000011
【図１０】
2005301837.tif 000012
【図１１】
2005301837.tif 000013
【図１２】
2005301837.tif 000014
【図１３】
2005301837.tif 000015
【図１４】
2005301837.tif 000016
【図１５】
2005301837.tif 000017
【図１６】
2005301837.tif 000018
【図１７】
2005301837.tif 000019
【図１８】
2005301837.tif 000020